(57)【要約】【課題】精算処理が確実で利用しやすい確実な駐車場管理システム、駐車場管理方法、及びプログラムを提供する。【解決手段】駐車場の入口に配置され利用者のＩＣ免許証を読み取ると共に暗証番号が入力される入庫用端末ＩＣ免許証リーダと、駐車場の出口に配置されＩＣ免許証を読み取る出庫用端末ＩＣ免許証リーダと、入庫用端末ＩＣ免許証リーダ及び出庫用端末ＩＣ免許証リーダに接続され、入庫時にＩＣ免許証と暗証番号とを照合し、出庫時に駐車時間に基づいて駐車料金を計算し、利用者への請求書を作成する管理装置とを備えた。【選択図】図１
2010198096.tif 000002
【特許請求の範囲】
【請求項１】
駐車場の入口に配置され利用者のＩＣ免許証を読み取ると共に暗証番号が入力される入庫用端末ＩＣ免許証リーダと、
前記駐車場の出口に配置され前記ＩＣ免許証を読み取る出庫用端末ＩＣ免許証リーダと、
前記入庫用端末ＩＣ免許証リーダ及び前記出庫用端末ＩＣ免許証リーダに接続され、入庫時に前記ＩＣ免許証と前記暗証番号とを照合し、出庫時に駐車時間に基づいて駐車料金を計算し、前記利用者への請求書を作成する管理装置とを備えたことを特徴とする駐車場管理システム。
【請求項２】
前記入口及び前記出口に開閉自在に配置され、不正入出庫を防止するためのカーゲートを備えたことを特徴とする請求項１記載の駐車場管理システム。
【請求項３】
前記管理装置は、前記利用者の入庫時刻を記録し、前記入庫時刻を記録した入場券を発行する発券機を備えたことを特徴とする請求項２記載の駐車場管理システム。
【請求項４】
前記利用者への請求金額を表示する表示手段と、前記利用者が現金精算する場合に精算する精算機とを備えたことを特徴とする請求項２記載の駐車場管理システム。
【請求項５】
前記管理装置は、ホームページ経由で事前に免許証番号、暗証番号、及び請求書郵送先を登録するためのネットワークに接続されていることを特徴とする請求項２記載の駐車場管理システム。
【請求項６】
駐車場の入口で利用者のＩＣ免許証を読み取ると共に入力された暗証番号と照合し、
出庫時に駐車時間に基づいて駐車料金を計算し、前記利用者への請求書を作成することを特徴とする駐車場管理方法。
【請求項７】
前記ＩＣ免許証と前記暗証番号との照合結果に応じて前記入口に配置されたカーゲートの開閉を行うことを特徴とする請求項６記載の駐車場管理方法。
【請求項８】
前記利用者の入庫時刻を記録し、前記入庫時刻を記録した入場券を発行することを特徴とする請求項７記載の駐車場管理方法。
【請求項９】
出口にて前記利用者への請求金額を表示し、前記利用者が現金精算する場合には精算機で精算することを特徴とする請求項７記載の駐車場管理方法。
【請求項１０】
ホームページ経由で事前に免許証番号、暗証番号、及び請求書郵送先を登録することを特徴とする請求項７記載の駐車場管理方法。
【請求項１１】
コンピュータに、駐車場の入口に配置された入庫用端末ＩＣ免許証リーダが利用者のＩＣ免許証を読み取ると共に暗証番号が入力される手順、
前記駐車場の出口に配置された出庫用端末ＩＣ免許証リーダが前記ＩＣ免許証を読み取る手順、
管理装置が入庫時に前記ＩＣ免許証と前記暗証番号とを照合し、出庫時に駐車時間に基づいて駐車料金を計算し、前記利用者への請求書を作成する手順を実行させることを特徴とする駐車場管理プログラム。
【請求項１２】
前記コンピュータに、前記入口及び前記出口に配置されたカーゲートが不正入出庫を防止するため開閉する手順を実行させることを特徴とする請求項１１記載の駐車場管理プログラム。
【請求項１３】
前記コンピュータに、発券機が前記利用者の入庫時刻を記録し、前記入庫時刻を記録した入場券を発行する手順を実行させることを特徴とする請求項１２記載の駐車場管理プログラム。
【請求項１４】
前記コンピュータに、表示手段が前記利用者への請求金額を表示する手順、前記利用者が現金精算する場合に精算機が精算する手順を実行させることを特徴とする請求項１２記載の駐車場管理プログラム。
【請求項１５】
前記コンピュータに、ホームページ経由で事前に免許証番号、暗証番号、及び請求書郵送先を登録する手順を実行させることを特徴とする請求項１２記載の駐車場管理プログラム。
【発明の詳細な説明】
【技術分野】
【０００１】
本発明は、駐車場管理システム、駐車場管理方法、及びプログラムに関する。
【背景技術】
【０００２】
本発明に関連する駐車場管理では、時間による料金計算を行い現金での精算を行っている。
駐車場管理に関する技術の一例が特許文献１、２に記載されている。
特許文献１の駐車料金自動課金収受決済システムは、「車上無線送受信器と、駐車場装置と、情報処理センターと、決済処理装置とからなり、車上無線送受信器は、所定の質問信号を受信した時に、利用者識別情報を含む応答信号を無線送信するものであり、駐車場装置は、駐車場の入口に設置された入口装置と、駐車場の出口に設置された出口装置と、管理装置とからなり、入口装置は、入場する車両を検知したときに、車両に対して所定の質問信号を発信し、受信した応答信号に含まれる識別情報と車両の入場時刻とを入場管理情報として管理装置に送信するものであり、出口装置は、出場する車両を検知したときに、車両に対して所定の質問信号を発信し、受信した応答信号に含まれる識別情報と車両の出場時刻とを出場管理情報として管理装置に送信するものであり、管理装置は、入口装置から受信した入場管理情報を第１記憶部に記憶するとともに、出口装置から受信した出場管理情報を第２記憶部に記憶し、かつ、第１記憶部より、出場管理情報に含まれる利用者識別情報と一致する利用者識別情報を含む入場管理情報を読出して、その入場管理情報及び出場管理情報に含まれる入場時刻と出場時刻に基づいて駐車料金を演算し、１台の車両ごとの利用者識別情報、入場時刻、出場時刻及び駐車料金に駐車場の識別情報を加えて各車両についての管理情報として、第３記憶部に駐車場を利用した車両の管理情報を逐次記憶し、自動的に又は操作に基づいて前記情報処理センターに送信するものであり、情報処理センターは、利用者識別情報及び駐車場識別情報に対応して決済のため予め指定された金融機関のコードデータ及び口座番号データを記憶する記憶部を有し、各駐車場の管理装置から管理情報を受信した時、それぞれの管理情報に含まれる利用者識別情報及び駐車場識別情報をそれに対応する金融機関及び口座番号に変換するとともに、それら金融機関コードデータ及び口座番号データ、入場時刻、出場時刻及び駐車料金を決済情報として金融機関別に編集し、各金融機関の決済処理装置に送信するものであり、決済処理装置は、受信した決済情報に含まれる駐車料金の額を、同決済情報に含まれる利用者の口座番号から駐車場の口座番号に振替える決済処理を行う」ものであり、以下のように動作する。
【０００３】
この駐車料金自動課金収受決済システムによれば、駐車場を利用する場合は、ノンストップで車両を駐車場内に走行して駐車することができ、また、ノンストップで駐車場から出ることができるので、入口や出口での渋滞を招くことなく、円滑に入場・出場することができる。従って、駐車場の円滑な利用が可能である。また、駐車料金の決済が自動的に行われるので、利用者も駐車場経営者も、現金の携帯、金額の確認、現金の回収、搬送、預け入れなどの、労力がかかるばかりでなく、危険が伴う作業が一切不要であり、後日の駐車料金の請求、集金などが不要であるとしている。
【０００４】
特許文献２の駐車場管理装置は、「駐車場の管理をするための駐車場管理装置において、車の車体情報を判別する車体判別装置と、車に搭載されたワイヤレスカードからＩＤ番号を読み取り、車が入口ゲートを通過した時刻を入庫時刻と確定し、車が出口ゲートを通過した時刻を出庫時刻と確定する通信装置と、車体情報、ＩＤ番号、入庫時刻及び出庫時刻を記録する管理コンピュータとを備え、車体情報、入庫時刻及び出庫時刻から駐車料金を計算し、ＩＤ番号の所有者へ駐車料金を課金する」ものであり、以下のように動作する。
【０００５】
この駐車場管理装置によれば、車の車体情報を判別する車体判別装置と、車に搭載されたワイヤレスカードからＩＤ番号を読み取り、入庫時刻と出庫時刻を確定する通信装置と、運転手に対する誘導情報を出力する管制装置と、車の駐車場所を表示する駐車場所探索装置と、入庫時刻と出庫時刻とを記憶する管理コンピュータとを備え、車体情報、入庫時刻及び出庫時刻から駐車料金を計算し、ＩＤナンバーの所有者へ駐車料金を課金することにより、ノンストップでの入庫、ノンストップでの料金精算、及びノンストップでの出庫を実現でき、駐車場の車の流れをスムーズにできる駐車場管理装置の提供を実現することができるとしている。
【先行技術文献】
【特許文献】
【０００６】
【特許文献１】特開平１０−４０４３０号公報
【特許文献２】特開平１１−３９５２２号公報
【発明の概要】
【発明が解決しようとする課題】
【０００７】
しかしながら、上述した特許文献１，２に記載の技術では、ワイヤレスカードでの支払いを行っているものの暗証番号の入力が伴わないため不正利用の問題が考えられる。
そこで、本発明の目的は、精算処理が確実で利用しやすい確実な駐車場管理システム、駐車場管理方法、及びプログラムを提供することにある。
【課題を解決するための手段】
【０００８】
本発明の駐車場管理システムは、駐車場の入口に配置され利用者のＩＣ免許証を読み取ると共に暗証番号が入力される入庫用端末ＩＣ免許証リーダと、前記駐車場の出口に配置され前記ＩＣ免許証を読み取る出庫用端末ＩＣ免許証リーダと、前記入庫用端末ＩＣ免許証リーダ及び前記出庫用端末ＩＣ免許証リーダに接続され、入庫時に前記ＩＣ免許証と前記暗証番号とを照合し、出庫時に駐車時間に基づいて駐車料金を計算し、前記利用者への請求書を作成する管理装置とを備えたことを特徴とする。
【０００９】
本発明の駐車場管理方法は、駐車場の入口で利用者のＩＣ免許証を読み取ると共に入力された暗証番号と照合し、出庫時に駐車時間に基づいて駐車料金を計算し、前記利用者への請求書を作成することを特徴とする。
【００１０】
本発明のプログラムは、コンピュータに、駐車場の入口に配置された入庫用端末ＩＣ免許証リーダが利用者のＩＣ免許証を読み取ると共に暗証番号が入力される手順、前記駐車場の出口に配置された出庫用端末ＩＣ免許証リーダが前記ＩＣ免許証を読み取る手順、管理装置が入庫時に前記ＩＣ免許証と前記暗証番号とを照合し、出庫時に駐車時間に基づいて駐車料金を計算し、前記利用者への請求書を作成する手順を実行させることを特徴とする。
【発明の効果】
【００１１】
本発明によれば、精算処理が確実で利用しやすい確実な駐車場管理システム、駐車場管理方法、及びプログラムの提供を実現することができる。
【図面の簡単な説明】
【００１２】
【図１】本発明に係る駐車場管理システムの一実施の形態を示すブロック図である。
【図２】図１に示した駐車場管理システムに用いられる入庫端末の一例の説明図である。
【図３】図１に示した駐車場管理システムに用いられる出庫端末の一例の説明図である。
【図４】図１に示した駐車場管理システムに用いられる集中管理システムの一例の説明図である。
【図５】図１に示した駐車場管理システムの動作を説明するためのシーケンス図の一例である。
【発明を実施するための形態】
【００１３】
＜特徴＞
ＩＣ免許証を利用した入出庫管理による自動精算及び請求料金の管理を行うことができる。
【００１４】
＜構成＞
次に、本発明に係る駐車場管理システムの一実施の形態の構成について図面を参照して詳細に説明する。
図１は、本発明に係る駐車場管理システムの一実施の形態を示すブロック図である。
図１を参照すると、本発明の実施の携帯は、ＩＣ免許証リーダ１，２、自動精算機５、及び集中管理用サーバで構成されている。
ＩＣ免許証リーダ１は、入庫用端末ＩＣ免許証リーダであり、ＩＣ免許証リーダ２は、出庫用端末ＩＣ免許証リーダである。
集中管理システム３は入庫用端末１及び出庫用端末２からの情報に基づいて、駐車場の混雑状況（空車状況）及び自駐車場の名称、住所、地図、料金等の情報をＨＰ（ホームページ）４に掲載する。ホームページに掲載したり、更新したりする場合にはＳＳＬ(Secure Socket Layer：ネットスケープ社の暗号化のプロトコル)に基づいて行われる。
集中管理システム３は、駐車場の利用者に対して請求書発行部（例えば、自動精算機）５から１ヶ月分の請求書を発行させる。
【００１５】
図２は、図１に示した駐車場管理システムに用いられる入庫端末の一例の説明図である。
図２に示す入庫端末１は、入庫時に利用者が所有するＩＣ免許１０がかざされるか（非接触式の場合）、あるいは差し込まれると（接触式の場合）、情報を読み取ってＩＣリーダ画面に必要な情報（例えば、「いらっしゃいませ、パスワードを入力願います。」等）を表示する。入庫端末１は、ＩＣ免許パスワード入力画面（例えば、テンキー、確認ボタン、訂正ボタン等）１２を表示し、集中管理システム３にパスワード情報を送信する。集中管理システム３は、パスワード情報を認証し、入庫端末１に認証結果を送り、認証結果表示画面１３に認証結果を表示する。入庫端末１は、認証結果を表示すると共に駐車票１４を発券する。
【００１６】
入庫端末１は、ＩＣ免許１０からの情報に基づいて、例えば支払い状況が悪い場合には警告したり（例えば、「１月分の駐車料を＃月＃日まで入金願います。」）、使用制限したり（「１２月分の入金がされておりませんので、入金後ご利用になれます。」）するようにしてもよい。
【００１７】
図３は、図１に示した駐車場管理システムに用いられる出庫端末の一例の説明図である。
図３に示す出庫端末２は、利用者が所有するＩＣ免許１０がかざされるか（非接触式の場合）、あるいは差し込まれると（接触式の場合）、精算方法を選択するための精算方法選択画面（例えば、「カード払いもしくは、月末払いにしますか？」等）を表示する。利用者が精算方法を選択し（例えば、カード払い）、駐車票１４とクレジットカード２０とを出庫端末２に差し込むと、出庫端末２は精算処理２３を行い、情報を集中管理システム３に送信する。集中管理システム３にて所定の処理を行い、処理結果の情報を出庫端末２に送信する。出庫端末２では精算結果表示画面２４にて精算結果を表示すると共に、精算書又は計算書２１を発行する。
ここで、カード払いの場合には精算書を発行し、月末払いの場合には未だ精算前であるため計算書を発行する。
利用者は、上述した手続終了後出庫する。
【００１８】
図４は、図１に示した駐車場管理システムに用いられる集中管理システムの一例の説明図である。
集中管理システム３は、利用者情報部２３、入庫情報管理部２４、出庫情報管理部２５、及び精算管理部２６を有している。利用者情報部２３は、利用者の名前、住所、車種、ナンバー、電話番号、利用歴、支払い状況等の情報を管理する。
利用者情報管理部２５は、ネットワーク２２を介して利用者の所有するユーザ端末（例えば、携帯電話、もしくはパーソナルコンピュータ）２１と情報の授受を行うことで情報管理を行う。
利用者情報管理部２５は入庫情報管理部２４及び出庫情報管理部２５に接続されており、入庫情報管理部２４は、入庫端末１（図２）からの入庫情報を受信し、出庫情報管理部２５は、出庫端末２（図３）からの出庫情報を受信する。
精算管理部２６は、入庫情報管理部２４及び出庫情報管理部２５からの情報に基づいて精算処理を行う。集中管理システム３は、即日精算する場合には精算処理及び精算書を発行し、後日精算する場合には後日精算処理２８を行う。
【００１９】
＜動作＞
次に、図を参照して本発明の実施の形態の動作について詳細に説明する。
図５は、図１に示した駐車場管理システムの動作を説明するためのシーケンス図の一例である。
ユーザは、ユーザ端末（ＰＣもしくは携帯電話）から駐車料金集中管理システムへアクセスする（ステップＳ１）。
ユーザ端末からのアクセスがあると、駐車料金集中管理システムは、利用者情報登録通知（修正、削除）をユーザ端末に送信する（ステップＳ２）。
ユーザ端末は、利用者情報確認通知を駐車料金集中管理システムに送信して終了する（ステップＳ３）。
【００２０】
ユーザ端末は、入庫端末アクセス認証を駐車料金集中管理システムに送信すると（ステップＳ４）、駐車料金集中管理システムは、利用者認証情報を確認し、利用者情報、及び入庫情報を表示する（ステップＳ５）。
ユーザ端末は、利用者認証情報、利用者情報、及び入庫情報を表示し、入庫情報及びレシートを発行する（ステップＳ６）。
駐車料金集中管理システムは、入庫情報を登録し、ユーザ端末に送信する（ステップＳ７）。
ユーザ端末は、出庫端末に出庫時、精算方法を現金、ＩＣ、クレジットのいずれかを選択し、出庫端末に通知する（ステップＳ１０）。
出庫端末は、精算情報を表示し、駐車料金集中管理システムに通知する（ステップＳ９）。
駐車料金集中管理システムは、出庫情報を登録して精算処理を行う（ステップＳ１０）。
【００２１】
すなわち、まず利用者は、事前に駐車場用のホームページ（ＨＰ）経由にて事前に免許証番号、請求書郵送先を登録する必要がある（登録時にはＳＳＬ暗号化方式を採用する）。
【００２２】
次に利用者は駐車場利用時に、入り口の入出庫用端末のＩＣ免許証リーダにＩＣ免許証をかざす。そこで、集中管理システムに入場時間を記録して、同時に入庫時間が記録された入場券も発行し、入場可能となる。
【００２３】
次に利用者は出庫するときに出庫用端末のＩＣ免許証リーダにＩＣ免許証をかざして、集中管理システムで料金の計算を行い出庫用端末に精算額を表示する。
利用者は、表示された料金を確認して、現金精算か後日精算を選択する。
現金精算の場合、現金によって支払いを行う。後日精算の場合は発行された精算書を受け取り退場可能となる。精算された金額は、集中管理システムで管理され１か月ごとに請求書（振込み用紙）を郵送して、利用者は支払いを行う。
【００２４】
＜効果の説明＞
ＩＣ免許証を利用することにより、硬貨等の現金の扱いをなくすことができ、利用者にとって利用しやすくなる。また、駐車場側も確実に精算でき、かつ不正利用を防止するメリットがある。
【００２５】
＜プログラム及び記憶媒体＞
以上で説明した本発明の駐車場管理システムは、コンピュータで処理を実行させるプログラムによって実現されている。コンピュータとしては、例えばパーソナルコンピュータやワークステーションなどの汎用的なものが挙げられるが、本発明はこれに限定されるものではない。
【００２６】
すなわち、
コンピュータに、
(1)駐車場の入口に配置された入庫用端末ＩＣ免許証リーダが利用者のＩＣ免許証を読み取ると共に暗証番号が入力される手順、
(2)駐車場の出口に配置された出庫用端末ＩＣ免許証リーダがＩＣ免許証を読み取る手順、
(3)管理装置が入庫時に前記ＩＣ免許証と暗証番号とを照合し、出庫時に駐車時間に基づいて駐車料金を計算し、利用者への請求書を作成する手順
を実行させることを特徴とするプログラムが挙げられる。
【００２７】
これにより、プログラムが実行可能なコンピュータ環境さえあれば、どこにおいても本発明の駐車場管理システムを実現することができる。
このようなプログラムは、コンピュータに読み取り可能な記憶媒体に記憶されていてもよい。
【００２８】
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００２９】
なお、上述した実施の形態は、本発明の好適な実施の形態の一例を示すものであり、本発明はそれに限定されることなく、その要旨を逸脱しない範囲内において、種々変形実施が可能である。
【００３０】
ここで、本願発明と特許文献１に記載の発明との相違点について述べる。
特許文献１に記載の発明では無線による読み取りでは、ＩＣ免許証の改竄チェックが行われないため、偽造免許証が使用されるおそれがある。しかしながら、本願発明ではＩＣ免許証を入庫時に読み取り、利用者に暗証番号を入力させることによって不正利用を防止することについて効果を奏する。
また、特許文献１に記載の発明では、ノンストップで入出庫や課金を行っているが、操作者が契約駐車場と勘違いして入庫した場合には後処理が面倒である。しかしながら、本願発明では入庫時に一旦停止した入庫処理を行うため、錯誤による入庫を防止することができるという効果を奏する。
【００３１】
特許文献２に記載の発明では、特許文献１に記載の発明と同様に、ノンストップで入出庫や課金を行っているが、操作者が契約駐車場と勘違いして入庫した場合には後処理が面倒である。しかしながら、本願発明では入庫時に一旦停止した入庫処理を行うため、錯誤による入庫を防止することができるという効果を奏する。
【符号の説明】
【００３２】
１    入庫用端末ＩＣ免許証リーダ
２    出庫用端末ＩＣ免許証リーダ
３    集中管理システム料金精算管理部
４    駐車場ＨＰ
５    請求書発行部
【図１】
2010198096.tif 000003
【図２】
2010198096.tif 000004
【図３】
2010198096.tif 000005
【図４】
2010198096.tif 000006
【図５】
2010198096.tif 000007